(57)【要約】  被加熱物を加熱する複数の加熱コイルと、加熱コイルに交流電流を供給するインバータ３と、インバータ３の動作を制御する制御部５と、接触操作による操作入力を受け付けるタッチパネル７と、タッチパネル７に対する接触操作の特定軌跡を検出する操作軌跡検出部１１と、特定軌跡と制御部が実行する命令との対応関係データを格納した記憶部１３と、タッチパネルへの被検出物の接近を検出する接近検出手段１４と、加熱コイルの通電状態を検出するコイル状態検出部１２と、接近検出手段１４が被検出物の接近を検出した際に当該タッチパネルに最も近い加熱コイルに関するコイル状態検出部１２の検出結果を表す音声を出力する音声出力手段と、を備える。
2009119468.tif 000002
【特許請求の範囲】
【請求項１】
被加熱物を加熱する複数の加熱コイルと、
前記加熱コイルに交流電流を供給するインバータと、
前記インバータの動作を制御する制御部と、
接触操作による操作入力を受け付けるタッチパネルと、
前記タッチパネルに対する接触操作の特定軌跡を検出する操作軌跡検出部と、
前記特定軌跡と前記制御部が実行する命令との対応関係データを格納した記憶部と、
前記タッチパネルへの被検出物の接近を検出する接近検出手段と、
前記加熱コイルの通電状態を検出するコイル状態検出部と、
前記接近検出手段が被検出物の接近を検出した際に当該タッチパネルに最も近い加熱コイルに関する前記コイル状態検出部の検出結果を表す音声を出力する音声出力手段と、
を備え、
前記制御部は、
前記操作軌跡検出部が検出した前記特定軌跡に基づき前記対応関係データを参照してその特定軌跡に対応付けられた命令を実行する
ことを特徴とする誘導加熱調理器。
【請求項２】
前記制御部の動作モードを、
前記操作軌跡検出部の検出結果および前記対応関係データを用いて命令を実行するジェスチャモードと、
前記操作軌跡検出部の検出結果および前記対応関係データを用いずに命令を実行する通常モードと、
のいずれにするかを指定する操作入力を受け付けてその旨の操作信号を前記制御部に出力する操作部を備え、
前記制御部は、
前記操作部より前記通常モードで命令を実行すべき旨の前記操作信号を受け取ると、
命令を実行するに際し前記操作軌跡検出部の検出結果および前記対応関係データを用いず、前記タッチパネルへの接触操作による操作入力を用いて命令を実行する
ことを特徴とする請求項１記載の誘導加熱調理器。
【請求項３】
前記タッチパネルは、
前記制御部の指示に基づき情報を画面表示する表示手段と一体的に構成され、
前記制御部は、
前記表示手段のうち、
上方に被加熱物が載置されていると前記コイル状態検出部が検出した前記加熱コイルの近傍に、
その加熱コイルに対する操作入力を行うための操作手段を画面表示させ、
前記タッチパネルは、
前記操作手段に対する接触操作による操作入力を受け付けると、
その内容に対応した操作信号を前記制御部に出力する
ことを特徴とする請求項２記載の誘導加熱調理器。
【請求項４】
前記制御部は、
前記操作手段に対する接触操作による操作入力を前記タッチパネルが受け付けると、
その操作手段に対応した前記加熱コイルのみについて、
その操作入力に対応した命令を実行する
ことを特徴とする請求項３記載の誘導加熱調理器。
【請求項５】
前記制御部は、
前記ジェスチャモードで動作している際に前記操作軌跡検出部が所定の前記特定動作を検出した場合と、
前記通常モードで動作している際に前記タッチパネルへ所定の操作入力があった場合とで、
同じ命令を実行する
ことを特徴とする請求項３または請求項４記載の誘導加熱調理器。
【請求項６】
前記制御部は、
前記ジェスチャモードで動作している際に前記タッチパネルが所定時間連続して押下されたことを前記操作軌跡検出部が検出した場合と、
前記通常モードで動作している際に前記タッチパネルの所定位置が所定時間連続して押下された場合は、
前記加熱コイルに対する交流電流の供給のＯＮ／ＯＦＦを切り替えるよう前記インバータを駆動制御する
ことを特徴とする請求項５記載の誘導加熱調理器。
【請求項７】
前記制御部は、
前記ジェスチャモードで動作している際に前記タッチパネルに右方向の操作入力がなされたことを前記操作軌跡検出部が検出した場合と、
前記通常モードで動作している際に前記タッチパネルに右方向の操作入力がなされた場合は、
前記加熱コイルの加熱火力を上げる
ことを特徴とする請求項５または請求項６記載の誘導加熱調理器。
【請求項８】
前記制御部は、
前記ジェスチャモードで動作している際に前記タッチパネルが左方向の操作入力がなされたことを前記操作軌跡検出部が検出した場合と、
前記通常モードで動作している際に前記タッチパネルが左方向の操作入力がなされた場合は、
前記加熱コイルの加熱火力を下げる
ことを特徴とする請求項５ないし請求項７のいずれかに記載の誘導加熱調理器。
【請求項９】
前記制御部は、
前記表示手段に前記加熱コイルの加熱出力を表す情報を画面表示させ、
かつ、
前記ジェスチャモードと前記通常モードでその画面表示を統一する
ことを特徴とする請求項２ないし請求項８のいずれかに記載の誘導加熱調理器。
【請求項１０】
前記制御部は、
前記表示手段に前記加熱コイルの加熱残り時間を表す情報を画面表示させ、
かつ、
前記ジェスチャモードと前記通常モードでその画面表示を統一する
ことを特徴とする請求項２ないし請求項９のいずれかに記載の誘導加熱調理器。
【発明の詳細な説明】
【技術分野】
【０００１】
本発明は、誘導加熱調理器に関するものである。
【背景技術】
【０００２】
従来、車載情報装置に関し、『操作者が画面上の正確な指示位置を認識する必要なく、迅速かつ容易により正確な指示操作が行える車載情報装置を提供する。』ことを目的とした技術として、『車両に搭載され、表示装置の表示画面を介して操作者が情報を得ることができる車載情報装置において、表示装置２１の表示画面の前面に配置されたタッチパネル２２を有し、該タッチパネルに対する操作者のタッチの軌跡（ジェスチャ）に基づいて、少なくとも表示装置の表示に関する操作指示を行う。』というものが提案されている（特許文献１）。【０００３】
また、電磁調理器に関し、『視覚的な表示と聴覚的な表示を改良して、より利便性、安全性が高く、利用者が快適に操作できる電磁調理器を提供する。』ことを目的とした技術として、『通電中は、コイルの上部にあたるトッププレート６の電磁調理面１に加熱出力の状態を示す加熱イメージ７ａ、７ｂを表示する。このことにより、加熱出力に応じて加熱イメージの発色や点滅のパターンを変えることで、加熱処理が実際に行なわれている雰囲気や臨場感のある直感的に理解し易い加熱出力表示を実現することができ、調理感覚や熱に対する危険意識を増加させ、調理しやすく、火傷などの事故の防止にも多いに役立つ電磁調理器を提供できる。さらに、通電中であることを持続音で表すことで、同様に実際的な調理感覚を音で得ることができ、ことに視覚障害者が利用し易い、より利便性、安全性が高く、利用者が快適に操作できる電磁調理器を提供できる。』というものが提案されている（特許文献２）。【０００４】
【特許文献１】特開平９−５０２３５号公報（要約）
【特許文献２】特開２００６−１７３０４０号公報（要約）
【発明の開示】
【発明が解決しようとする課題】
【０００５】
上記特許文献１に記載の技術では、タッチパネルに対する接触ジェスチャにより操作指示を行うことができるが、操作対象物が複数存在する場合には、いずれの操作対象物を操作しているのかが、ユーザにとって分かりにくい。【０００６】
上記特許文献２に記載の技術では、音声出力によりユーザが動作状態を把握することができるが、既に動作状態にあるものについてその内容を音声出力を行うものであり、操作対象物がいずれであるかを音声出力するものではない。また、ジェスチャのような簡易な操作手段を提供するものではない。【０００７】
本発明は、上記のような課題を解決するためになされたものであり、簡易な操作手段を備え、ユーザが操作対象の熱源を容易に把握することができる誘導加熱調理器を提供することを目的とする。
【課題を解決するための手段】
【０００８】
本発明に係る誘導加熱調理器は、被加熱物を加熱する複数の加熱コイルと、前記加熱コイルに交流電流を供給するインバータと、前記インバータの動作を制御する制御部と、接触操作による操作入力を受け付けるタッチパネルと、前記タッチパネルに対する接触操作の特定軌跡を検出する操作軌跡検出部と、前記特定軌跡と前記制御部が実行する命令との対応関係データを格納した記憶部と、前記タッチパネルへの被検出物の接近を検出する接近検出手段と、前記加熱コイルの通電状態を検出するコイル状態検出部と、前記接近検出手段が被検出物の接近を検出した際に当該タッチパネルに最も近い加熱コイルに関する前記コイル状態検出部の検出結果を表す音声を出力する音声出力手段と、を備え、前記制御部は、前記操作軌跡検出部が検出した前記特定軌跡に基づき前記対応関係データを参照してその特定軌跡に対応付けられた命令を実行するものである。
【発明の効果】
【０００９】
本発明に係る誘導加熱調理器によれば、ユーザはタッチパネルに対する接触ジェスチャにより、簡易な操作入力で誘導加熱調理器を操作することができる。
また、ユーザがタッチパネルに手を接近させると、接近検出手段がこれを検出して加熱コイルの通電状態を音声出力手段より音声出力するので、ユーザは操作対象の熱源を容易に把握することができる。
【図面の簡単な説明】
【００１０】
【図１】実施の形態１に係る誘導加熱調理器１００の構成図である。
【図２】被加熱物を天板１上に載置した際の表示部７の表示内容を示す図である。
【図３】ジェスチャモードにおける表示部７の表示内容を示す図である。
【図４】誘導加熱調理器１００の機能ブロック図である。
【図５】記憶部１３が格納している対応関係テーブルの構成例を示す図である。
【図６】熱源の加熱コイルの通電を停止する際の操作入力を説明する図である。
【図７】熱源の加熱コイルの加熱出力を上げる際の操作入力を説明する図である。
【図８】表示部７の画面表示例を示す図である。
【符号の説明】
【００１１】
１  天板、２  本体筐体、３  インバータ、４  電源スイッチ、５  制御部、７  表示部、８ａ〜８ｘ  加熱コイル、１１  動作軌跡検出部、１２  コイル状態検出部、１３  記憶部、１４  近接センサ、１５  音声部、１００  誘導加熱調理器。
【発明を実施するための最良の形態】
【００１２】
実施の形態１．
図１は、本発明の実施の形態１に係る誘導加熱調理器１００の構成図である。
図１において、１は天板、２は本体筐体、３は高周波電流を供給するインバータ、４は電源スイッチ、７は表示部、８ａ〜８ｘは加熱コイルである。
また、誘導加熱調理器１００は、図示しない制御部５を備え、制御部５はインバータ３が有するスイッチング素子を駆動制御する。【００１３】
天板１は、被加熱物を載置するためのものである。天板１を本体筐体２の上面に被せ、本体筐体２の内部構造を収納する。
本体筐体２は、内部にインバータ３、表示部７、加熱コイル８ａ〜８ｘを収納する。
インバータ３は、直流電力を交流に変換し、加熱コイル８ａ〜８ｘに高周波電流を供給する。
表示部７は、液晶表示デバイス等で構成された画面表示装置で、天板１の該当箇所が透過して、表示内容を天板１の上から閲覧できるようになっている。また、タッチパネルの機能を兼ね備えており、ユーザが表示部７に触れると、その旨の操作信号が制御部５に出力される。【００１４】
加熱コイル８ａ〜８ｘは、例えばコイル径が１００ｍｍ以下のものを用い、コイルの縁同士の間隔が２０ｍｍ以下となるように配置する。加熱コイル８ａ〜８ｘ上面の面積（円部分の面積）の合計は、天板１の表面積の例えば５０％以上となるようにする。
また、加熱コイル８ａ〜８ｘは、奥行き方向と横方向のそれぞれに、複数個並ぶように配置する。図１の配置例では、奥行き方向に最大４個（加熱コイル８ａ〜８ｄなど）、横方向に最大６個（加熱コイル８ａ、８ｅ、８ｉ、８ｍ、８ｑ、８ｕなど）の加熱コイルが配置されている。【００１５】
このようにコイル径と配置を定めることにより、各加熱コイルの加熱領域が相互に重なり合って連結されるので、天板１のどの部分に鍋などの被加熱物を載置しても、ほぼ確実にいずれかの加熱コイルの加熱可能領域に係ることになり、被加熱物の載置位置の自由度が高まる。
このコイル径と配置については、これらに限られるものではなく、天板１や本体筐体２のサイズ等に応じて、その他の構成をとることも可能である。また、各加熱コイルが同心円状に多重配置されている構成も可能である。以下の説明では、必要に応じて適宜図１の配置例とは異なる例を用いる。【００１６】
以上、本実施の形態１に係る誘導加熱調理器１００の概略構成を説明した。
次に、表示部７の画面表示内容について説明する。【００１７】
図２は、被加熱物を天板１上に載置した際の表示部７の表示内容を示す図である。
誘導加熱調理器１００は、上方に被加熱物が載置された加熱コイルにのみ通電して加熱調理を行う。また、天板１に複数の被加熱物を載置して、個別に加熱調理を行うことも可能である。
天板１に被加熱物を載置した場合、上方に被加熱物が載置された加熱コイルの集合体が、被加熱物を加熱する。この加熱コイルの集合体を、「熱源」と呼ぶことにする。【００１８】
複数の被加熱物を個別に加熱調理する場合、各熱源のＯＮ／ＯＦＦや加熱出力などを個別に操作できることが望ましい。また、操作性の観点から、各熱源に近い位置に操作手段を設けることが望ましい。
しかし、図１〜図２のように、天板１上の任意の位置に被加熱物を載置することができる構成の場合、熱源の位置は被加熱物の載置位置によって変化するため、操作手段を固定的に設けることはできない。
そこで、表示部７の画面上に、操作パネルを動的に構成することを考える。【００１９】
図２において、表示部７上の各熱源前方（図２の下方）には、各熱源の加熱動作を停止させるボタンと、加熱出力を上下させるボタンとで構成された操作パネルが画面表示されている。
ユーザは、タッチパネルの機能を備えた表示部７上に画面表示された操作パネルに触れることにより、その操作パネルに対応した熱源に対する操作入力を行うことができる。【００２０】
図３は、ジェスチャモードにおける表示部７の表示内容を示す図である。
誘導加熱調理器１００は、原則として図２で説明した動作を行う。この動作モードを通常モードと呼ぶ。一方、ユーザの指示により、ジェスチャモードと呼ぶ動作モードで動作することもできる。
ジェスチャモード動作時は、表示部７は、図２で説明したような操作パネルに代えて、図３のように各熱源に対応付けられた小サイズのサブタッチパネルを画面表示する。【００２１】
サブタッチパネルは、表示部７の一部の領域を、各熱源に対応付けたものである。
ユーザがサブタッチパネル上で特定の接触ジェスチャ（タッチパネルに触れたままで特定の移動軌跡を描くこと）を行うと、その軌跡に対応した操作信号が制御部５に出力される。制御部５は、その軌跡にあらかじめ対応付けられた動作命令を実行する。
このように、ユーザは通常モードとジェスチャモードを任意に選択して用いることができる。【００２２】
通常モードとジェスチャモードの切り替え指示は、例えば誘導加熱調理器１００の本体前面に切り替えスイッチ等の操作手段を設けてこれを用いるようにしてもよいし、表示部７のうち一部の領域を切り替え操作用に確保し、この領域にタッチ操作可能なスイッチを表示しておくようにしてもよい。
本実施の形態１における「操作部」は、上述の切り替えスイッチ等がこれに相当する。【００２３】
図２〜図３で説明したような、熱源毎に操作パネルやサブタッチパネルを設ける構成に代えて、単一の操作パネルやサブタッチパネルを設けておき、別のボタン入力などにより操作対象の熱源を切り替えることも考えられる。
しかし、この場合はボタン入力などの手間を新たに要するので、ユーザの操作が増えることになる。そのため、ユーザの操作性の観点から、本実施の形態１に係る誘導加熱調理器１００では、熱源毎に操作パネルやサブタッチパネルを設けることにした。【００２４】
以上、図２〜図３を用いて、表示部７の画面表示内容を説明した。
次に、操作対象の熱源を音声出力により案内する構成について説明する。【００２５】
図２〜図３で説明したように、ユーザの操作対象となり得る熱源とこれに対応したパネルが複数存在する場合、ユーザが誤って操作対象以外のパネルに触れ、ユーザの意図しない動作を実行してしまう可能性がある。
そこで、ユーザの手が表示部７に接近したことを検出する近接センサを設けておき、図２〜図３で説明したいずれかのパネルにユーザの手が接近すると、その旨をユーザが認識できるような音声を出力する。
例えば、以下の（１）〜（２）のような音声出力を行うことが考えられる。【００２６】
（１）「右の鍋の操作をしようとしています。」のように、いずれの被加熱物の操作パネル等に接近したかを表す音声を出力する。
（２）「右の鍋、加熱調理中です。」のように、ユーザの手が接近した操作パネル等に対応した熱源の通電状態を表す音声を出力する。【００２７】
以上、操作対象の熱源を音声出力により案内する構成について説明した。
次に、誘導加熱調理器１００の内部構成について説明する。【００２８】
図４は、誘導加熱調理器１００の機能ブロック図である。
誘導加熱調理器１００は、図１で説明した構成の他に、動作軌跡検出部１１、コイル状態検出部１２、記憶部１３、近接センサ１４、音声部１５を備える。【００２９】
動作軌跡検出部１１は、表示部７より、ユーザが表示部７上で行った接触ジェスチャの動作軌跡に対応した操作信号を受け取り、その軌跡形状を検出する。【００３０】
コイル状態検出部１２は、各加熱コイルの通電状態を取得する。検出手法としては、任意の公知技術を用いることができるが、例えば以下の（１）〜（３）のようなものが考えられる。【００３１】
（１）漏洩磁束を用いて加熱コイルの使用状態を検出する。例えば、漏洩磁束が所定閾値以上であるときは、上方に被加熱物が載置されていないものと判定する。
（２）被加熱物を天板１の上に載置した際のインピーダンス変化を、電流や電圧の変化により検出し、これらの値に基づき加熱コイルが使用されているか否かを検出する。
（３）被加熱物の載置状態を天板１の上方（例えばレンジフード内）からカメラ等で撮影し、各加熱コイルの配置位置と被加熱物の載置位置の重なり度合いを用いて、各加熱コイルが使用されているか否か（通電されているか否か）を判断する。【００３２】
記憶部１３は、後述の図５で説明する対応関係テーブルを格納している。また、音声部１５が出力する音声を収録した音声データを格納している。
近接センサ１４は、静電センサ、赤外線センサ等で構成され、非接触で被検出物体の接近を検出してその旨の検出信号を制御部５に出力する。
音声部１５は、スピーカー等の音声出力デバイスで構成され、制御部５より音声データを受け取り、その音声データの内容を音声出力する。【００３３】
制御部５、および制御部５が備える各構成部は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置と、その動作を規定するソフトウェアとで構成することもできる。
記憶部１３は、ＨＤＤ（Ｈａｒｄ  Ｄｉｓｋ  Ｄｒｉｖｅ）やフラッシュＲＯＭ（Ｒｅａｄ  Ｏｎｌｙ  Ｍｅｍｏｒｙ）のような記憶装置で構成することができる。【００３４】
本実施の形態１における「タッチパネル」は、表示部７がこれに相当する。
また、「音声出力手段」は、制御部５、音声部１５がこれに相当する。【００３５】
図５は、記憶部１３が格納している対応関係テーブルの構成例を示す図である。
対応関係テーブルは、「ジェスチャ軌跡」列、「動作命令」列を有する。
「ジェスチャ軌跡」列には、ユーザがサブタッチパネル上で行う特定の接触ジェスチャの動作軌跡を表すデータが格納されている。
「動作命令」列には、ユーザが「ジェスチャ軌跡」列の値で表される接触ジェスチャを行った際に制御部５が実行すべき動作命令の内容が格納されている。
制御部５は、表示部７から送信される接触ジェスチャの検出信号と、図５の対応関係テーブルのデータとに基づき、特定の接触ジェスチャが行われた際に実行すべき動作命令を得ることができる。【００３６】
なお、「ジェスチャ軌跡」列に格納される値は、動作軌跡の形状のみでなく、例えばサブタッチパネルの押下時間など、形状以外の情報を表すデータを格納するように構成してもよい。
この場合、ユーザは、接触ジェスチャとして、動作軌跡とともにサブタッチパネルの押下時間を併用して、特定の操作内容を入力することができる。【００３７】
以上、誘導加熱調理器１００の内部構成について説明した。
次に、誘導加熱調理器１００の通常モードにおける動作手順について、次のステップ（１）〜（８）で説明する。【００３８】
（１）ユーザが天板１の上に鍋などの被加熱物を載置し、電源スイッチ４を押下して誘導加熱調理器１００の電源をＯＮする。なお、制御部５は、誘導加熱調理器１００の動作モードを通常モードに設定しておく。【００３９】
（２）コイル状態検出部１２は、各加熱コイルの通電状態を上述の手法で検出し、検出結果を、図示しないＲＡＭ（Ｒａｎｄｏｍ  Ａｃｃｅｓｓ  Ｍｅｍｏｒｙ）等の記憶装置に格納しておく。
以後、コイル状態検出部１２は、例えば所定時間間隔で同様の通電状態検出を実行し、検出結果が前回と異なる場合のみ、その検出結果を改めてＲＡＭ等に格納する。所定時間間隔毎に検出結果を格納するように構成してもよい。【００４０】
（３）制御部５は、コイル状態検出部１２の検出結果を上述のＲＡＭ等から取得する。次に、制御部５は、その検出結果に基づき被加熱物が上方に載置されている加熱コイルを検出し、その加熱コイルにのみ交流電流を供給するよう、インバータ３を駆動制御する。【００４１】
（４）制御部５は、被加熱物が載置されている位置をステップ（３）の結果から判断し、表示部７のうち被加熱物が載置されている位置に近い箇所に、図２で説明したような操作パネルを画面表示する。
（５）ユーザは、操作パネルにタッチするため、手を表示部７に近づける。
（６）近接センサ１４は、ユーザの手の接近を検出し、その旨の検出信号を制御部５に出力する。このとき、表示部７のどの位置に接近しているかを表す信号を、制御部５へ併せて出力する。【００４２】
（７）制御部５は、近接センサ１４の検出結果を受け取り、ユーザの手がいずれの操作パネルに接近しているかを判断する。次に、記憶部１３より、操作パネルの位置に対応した音声データを読み出し、音声部１５より音声出力させる。【００４３】
（８）ユーザは、音声出力により、操作対象の熱源がいずれであるかを把握する。次にユーザは、操作パネルにタッチして、対応する熱源に対する加熱出力の調整などの操作を行う。【００４４】
以上、誘導加熱調理器１００の通常モードにおける動作手順について説明した。
次に、誘導加熱調理器１００のジェスチャモードにおける動作手順について、次のステップ（９）〜（１４）で説明する。【００４５】
（９）ユーザは、誘導加熱調理器１００の動作モードを通常モードからジェスチャモードへ切り替えるためのスイッチ等を操作する。その旨の操作信号が、スイッチ等から制御部５へ出力される。
（１０）制御部５は、動作モードを通常モードからジェスチャモードに変更する。次に、制御部５は、表示部７が画面表示している図２のような操作パネルを、図３のようなサブタッチパネルに変更させる。【００４６】
（１１）ユーザは、サブタッチパネルにタッチするため、手を表示部７に近づける。ユーザは、ステップ（６）〜（８）と同様に、音声出力により操作対象の熱源を把握する。
（１２）ユーザは、サブタッチパネル上で特定の接触ジェスチャを行い、誘導加熱調理器１００に対する操作入力を行う。接触ジェスチャの内容に対応した操作信号が、表示部７から制御部５に出力される。【００４７】
（１３）動作軌跡検出部１１は、表示部７から受け取った操作信号の内容を解析し、ユーザが行った接触ジェスチャの動作軌跡を検出する。
（１４）制御部５は、動作軌跡検出部１１が検出した動作軌跡に合致するジェスチャを、図５で説明した対応関係テーブルから検索する。合致するものがあればその動作命令を実行し、合致するものがなければ何もしない。【００４８】
以上、誘導加熱調理器１００のジェスチャモードにおける動作手順を説明した。
なお、ステップ（８）や（１４）の後に、操作後の熱源の状態を音声部１５より音声出力するように構成してもよい。【００４９】
以上のように、本実施の形態１に係る誘導加熱調理器１００によれば、ユーザは、表示部７上に画面表示されるサブタッチパネル上で特定の接触ジェスチャを行うことにより、誘導加熱調理器１００の操作入力を行うことができる。
これにより、例えば、表示部７の画面表示が見えない位置に立っているユーザ、他の作業を同時に行っているユーザなども、表示部７の画面表示内容を目視確認することなく、簡易な操作で操作入力を行うことができる。【００５０】
また、本実施の形態１に係る誘導加熱調理器１００は、ユーザの手が表示部７に接近した際に、近接センサ１４がこれを検出し、ユーザの手に最も近い操作パネルやサブタッチパネルに対応した熱源の状態を音声出力する。
これにより、ユーザは操作対象の熱源を容易に把握することができる。また、操作に必要なボタンを手探りする必要がない。
特に、表示部７の画面表示が見えない位置に立っているユーザ、他の作業を同時に行っているユーザなどが、表示部７の画面表示内容を目視確認せずに操作入力を行う際に、音声出力を行うと、ユーザにとって便宜である。
このような、操作対象がいずれであるかの音声案内は、誘導加熱調理器における熱源のように、類似する操作対象が複数存在する状況下において、ユーザの利便性を高めることができる。【００５１】
また、本実施の形態１に係る誘導加熱調理器１００は、熱源毎に操作パネルやサブタッチパネルを設けるので、熱源毎に個別の操作入力を行なう際の操作手順が簡易化され、良好な操作感を提供することができる。【００５２】
実施の形態２．
実施の形態１では、誘導加熱調理器１００の通常モードとジェスチャモードを切り替える構成と動作について説明した。しかし、通常モードとジェスチャモードで操作内容があまりにも異なると、ユーザが混乱してしまう可能性がある。
そこで、本発明の実施の形態２では、通常モードとジェスチャモードで操作内容を共通化させることについて説明する。なお、本実施の形態２に係る誘導加熱調理器１００の構成は、実施の形態１と概ね同様であるため、動作上の差異点を中心に説明する。【００５３】
図６は、熱源の加熱コイルの通電を停止する際の操作入力を説明する図である。
図６（ａ）は通常モード動作時の操作入力、図６（ｂ）はジェスチャモード動作時の操作入力を示している。以下、各動作モードにおける操作内容を説明する。【００５４】
（ａ）通常モード動作時
ユーザが操作パネルに触れた際に、即座に加熱コイルの通電を停止してしまうと、ユーザが誤って操作パネルに触れてしまったようなときでも通電が停止されてしまうため、ユーザにとって不便となる場合がある。
そこで、通電ＯＦＦの操作入力を行う際には、操作パネル上に画面表示された電源ボタン（図６（ａ）中の「切」ボタン）を一定時間押下し続けなければならないこととする。
このように操作内容を定めることで、ユーザが誤って電源ボタンに触れたときでも、即座に通電が停止されることはない。
なお、通電をＯＮする際についても、同様の理由により、操作パネルを一定時間押下し続けなければ通電ＯＮされないこととする。【００５５】
（ｂ）ジェスチャモード動作時
ジェスチャモード動作時も、通常モード動作時と同様に、サブタッチパネルを一定時間押下し続けることで、対応する熱源の加熱コイルの通電をＯＦＦすることとする。
このように操作内容を定めることで、通常モードとジェスチャモードの動作内容が共通化され、ユーザがジェスチャモードのために新たな接触ジェスチャを覚える必要がなく、混乱が生じにくい。【００５６】
なお、ジェスチャモード動作時は、サブタッチパネル上に特定の操作ボタン等は画面表示しないため、サブタッチパネル上の任意の場所で、上述の操作ができるように構成しておく。
具体的には、図５で説明した対応関係テーブルの「ジェスチャ軌跡」列に、「動作軌跡＝なし、押下時間＝＜所定の電源ＯＦＦ時間＞」を定義するデータ行を格納しておく。「動作命令」列には、熱源の加熱コイルの通電をＯＦＦする動作命令を格納しておく。
制御部５は、動作軌跡検出手段１１より、動作軌跡がなく一定時間サブタッチパネルが押下されたことを検出した旨の検出信号を受け取ると、同行のデータを検索し、加熱コイルの通電をＯＦＦする。【００５７】
図７は、熱源の加熱コイルの加熱出力を上げる際の操作入力を説明する図である。
図７（ａ）は通常モード動作時の操作入力、図７（ｂ）はジェスチャモード動作時の操作入力を示している。以下、各動作モードにおける操作内容を説明する。【００５８】
（ａ）通常モード動作時
ユーザは、加熱コイルの加熱出力を上げる際には、表示部７の右側に画面表示されている矢印ボタンを押下する。押下した回数や押下継続時間によって、加熱出力を上げる程度を適宜調整する。【００５９】
（ｂ）ジェスチャモード動作時
ジェスチャモード動作時は、矢印ボタンが画面表示されていないので、これに代えて、ユーザはサブタッチパネルを右向きになぞることにより、加熱出力を上げることを誘導加熱調理器１００に指示することとする。
この場合、通常モードとジェスチャモードでは、「右向きに操作する」という共通の操作内容で、加熱コイルの加熱出力を上げることができるので、ユーザがジェスチャモードのために新たな接触ジェスチャを覚える必要がなく、混乱が生じにくい。【００６０】
なお、図６と同様に、ジェスチャモード動作時は、サブタッチパネル上に特定の操作ボタン等は画面表示しないため、サブタッチパネル上の任意の場所で、上述の操作ができるように構成しておく。
具体的には、図５で説明した対応関係テーブルの「ジェスチャ軌跡」列に、「動作軌跡＝＜右向きになぞる＞」を定義するデータ行を格納しておく。「動作命令」列には、熱源の加熱コイルの加熱出力を上げる動作命令を格納しておく。
制御部５は、動作軌跡検出手段１１より、右向きの動作軌跡を検出した旨の検出信号を受け取ると、同行のデータを検索し、加熱コイルの加熱出力を上げる。なお、サブタッチパネルをなぞった距離に応じて、加熱出力を上げる程度を調整してもよい。【００６１】
以上、図６〜図７を用いて、加熱コイルの通電ＯＦＦと加熱出力調整に関し、通常モードとジェスチャモードで操作内容を共通化することを説明した。
なお、これ以外の操作についても、操作内容を共通化することもできる。例えば、加熱コイルの加熱出力を下げる際には、通常モードでは左側の矢印ボタンを押下し、ジェスチャモードではサブタッチパネルを左向きになぞるように操作内容を定め、「左向きの操作」として共通化することができる。
これ以外にも、以下のような操作内容の共通化例が考えられる。【００６２】
（１）ダブルタップ
表示部７を連続的に２度押下（ダブルタップ）した際には、調理モード（通常加熱／揚げ物／煮込みなど）を切り替える。通常モードとジェスチャモードで、この操作を共通化する。【００６３】
（２）上下スライド
表示部７を上方向に操作した際にはタイマー設定時間を増やし、下方向に操作した際にはタイマー設定時間を減らす。
具体的には、通常モードでは上下ボタンを画面表示して押下させ、ジェスチャモードではサブタッチパネルを上下方向になぞることで同操作入力を行う、といった手法が考えられる。【００６４】
以上のように、本実施の形態２に係る誘導加熱調理器１００では、通常モードとジェスチャモードで、加熱コイルの通電ＯＦＦをするための操作内容を、「パネルを一定時間押下し続ける」という操作で共通化したので、ユーザが動作モードの違いにより混乱を来たすことがなく、良好な操作感を提供することができる。【００６５】
また、本実施の形態２に係る誘導加熱調理器１００では、通常モードとジェスチャモードで、加熱コイルの加熱出力を上げる（下げる）ための操作内容を、「パネルを右向き（左向き）になぞる」という操作で共通化したので、通電ＯＦＦ操作と同様に、ユーザが動作モードの違いにより混乱を来たすことがなく、良好な操作感を提供することができる。【００６６】
また、本実施の形態２に係る誘導加熱調理器１００では、ジェスチャモード動作時において、サブタッチパネルの任意の箇所で上述の操作を行うことができるので、ユーザの操作感が向上する。
特に、表示部７の画面表示が見えない位置に立っているユーザ、他の作業を同時に行っているユーザなどが、表示部７の画面表示内容を目視確認せずに操作入力を行うことができる点で、効果を発揮する。【００６７】
実施の形態３．
実施の形態２では、通常モードとジェスチャモードで操作内容を共通化することについて説明した。
本発明の実施の形態３では、通常モードとジェスチャモードで、表示部７の画面表示内容を共通化することについて説明する。なお、本実施の形態３に係る誘導加熱調理器１００の構成は、実施の形態１〜２と概ね同様であるため、画面表示に関する動作上の差異点を中心に説明する。【００６８】
図８は、表示部７の画面表示例を示す図である。
図８（ａ）は通常モード動作時の画面表示内容、図８（ｂ）はジェスチャモード動作時の画面表示内容を示している。以下、各動作モードにおける画面表示内容を説明する。【００６９】
（ａ）通常モード動作時
制御部５は、通常モード動作時は、コイル状態検出部１２より熱源の加熱コイルの加熱出力レベルを取得し、そのレベルを対応する操作パネル上に画面表示させる。図８では、バー形式で加熱出力を画面表示した例を示した。表示形式はバー形式に限られるものではなく、任意の適当な表示形式を用いることができる。【００７０】
（ｂ）ジェスチャモード動作時
制御部５は、ジェスチャモード動作時も、通常モード動作時と同様に加熱コイルの加熱出力レベルをサブタッチパネル上にバー形式で画面表示させる。表示位置も通常モードと揃えておくことが望ましい。【００７１】
このように、通常モードとジェスチャモードで画面表示内容を共通化しておくと、ユーザの操作感が統一され、使用感が向上する効果が期待できる。
なお、加熱出力以外にも、例えば下記（１）〜（２）のような画面表示内容を共通化することが考えられる。【００７２】
（１）タイマー表示
加熱時間をあらかじめ設定して加熱調理を行う場合、残りの加熱時間を操作パネルやサブタッチパネルに画面表示することが考えられる。このとき、残り時間の表示のさせ方を通常モードとジェスチャモードで共通化させておくと、操作感が統一される。【００７３】
（２）調理モードの表示
例えば「煮込みモード」「沸騰モード」「保温モード」のように、加熱パターンを被調理物に合わせて加熱調理を行う場合がある。このとき、現在の調理モードを表す画面表示を通常モードとジェスチャモードで共通化させておくと、操作感が統一される。【００７４】
以上のように、本実施の形態３に係る誘導加熱調理器１００によれば、通常モードとジェスチャモードで画面表示の内容を共通化させたので、ユーザの使用感が統一化され、良好な操作感を提供することができる。
【図１】
2009119468.tif 000003
【図２】
2009119468.tif 000004
【図３】
2009119468.tif 000005
【図４】
2009119468.tif 000006
【図５】
2009119468.tif 000007
【図６】
2009119468.tif 000008
【図７】
2009119468.tif 000009
【図８】
2009119468.tif 000010
【国際調査報告】
2009119468.tif 000011
2009119468.tif 000012
2009119468.tif 000013
2009119468.tif 000014